(57)【要約】      （修正有）【課題】炭素繊維を織物とする際、単繊維糸がばらけたり、毛羽だったり、剥がれたりせず、必要な織物厚さも容易に得ることができる炭素繊維強化複合材料の成形方法を提供する。【解決手段】オーバロックミシンやロックミシンのメローミシン２でマルチフィラメントを束ねた炭素繊維束３の１束ないし複数束に熱可塑性の合成繊維糸の掛合糸４をループ状に巻縫い掛合して炭素繊維束糸１を成形し、この成形した炭素繊維束糸１を経糸および／または緯糸として所定の大きさの織物５に作製し、作製した炭素繊維束糸１の織物５を加熱して熱可塑性の合成繊維糸の掛合糸４を溶融する成形方法。【選択図】図１
2014012920.tif 000002
【特許請求の範囲】
【請求項１】
オーバロックミシンやロックミシンのメローミシンでマルチフィラメントを束ねた炭素繊維束の１束ないし複数束に熱可塑性の合成繊維糸の掛合糸をループ状に巻縫い掛合して炭素繊維束糸を成形し、この成形した炭素繊維束糸を経糸および／または緯糸として所定の大きさの織物に作製し、作製した炭素繊維束糸の織物を加熱して熱可塑性の合成繊維糸の掛合糸を溶融させて炭素繊維強化複合材料を成形することを特徴とする織物による炭素繊維強化複合材料の成形方法。
【請求項２】
マルチフィラメントを束ねた炭素繊維束の１束ないし複数束にロックミシンのメローミシンで２〜５ｍｍピッチで熱可塑性の合成繊維糸の掛合糸をループ状に巻縫い掛合して炭素繊維束糸を成形し、この熱可塑性の合成繊維糸の掛合糸を巻縫いした炭素繊維束糸による織物を複数層重ね合わせる請求項１に記載の織物による炭素繊維強化複合材料の成形方法。
【発明の詳細な説明】
【技術分野】
【０００１】
本発明は、繊維強化分野における、特に熱可塑性繊維糸を巻縫いした織物による炭素繊維強化複合材料の成形方法に関するものである。
【背景技術】
【０００２】
本出願人は、自動車やモーターボートのボディ等を補強するのに、規格外で廃棄処分される光ファイバーを織物として製織し、有効にリサイクルすることを提案している。
【０００３】
規格外の廃棄処分される光ファイバーを利用すると、費用は格安となって好ましいが、光ファイバーは滑りやすいので天然や合成の繊維糸と絡ませて織物糸としており、また光ファイバーなので折曲したりすると、途中で切断することがあり、その用途は限定される。    
【０００４】
また、使用する光ファイバーは、極細状で軽量であるが、多数本を組み合わせると軽量ではなくなってくる。
【０００５】
一方、軽量で強度が高いことから、炭素繊維の利用が航空機や自動車、ボート、スポーツ分野で行なわれている。たとえば、特開２００３−２０５４２号公報や特開１０−１０２７９２号公報などのように炭素繊維糸を織物や布帛として航空機や構造物の補強用に利用することが提案されている。
【先行技術文献】
【特許文献】
【０００６】
【特許文献１】実用新案登録第３１１５９９０号
【特許文献２】特開２００３−２０５４２号公報
【特許文献３】特開１０−１０２７９２号公報
【発明の開示】
【発明が解決しようとする課題】
【０００７】
しかし、炭素繊維は、単繊維糸径が４〜２０μｍといった極細の繊維長３０〜５００ｍｍといった短繊維と長繊維のものを数十本〜数千本サイジング剤等で付着して炭素繊維糸としているもので、織物とするときに単繊維糸がばらけたり、毛羽だったり、剥がれたりしやすく、また炭素繊維糸を織物としてもその厚さが薄いので何枚も重ね合わせなければならざず、その重ね合わせるのにプリプレグ工程等が必要となったりして相当の手間がかかるものであった。
【０００８】
そのため、炭素繊維糸にカバリング精紡機でカバリングすることも提案されているが、一本一本の炭素繊維糸にカバリングするもので、装置も大掛かりとなり、手間もかかり、またそのカバリングが伸縮しやすいもので品質が安定しにくいものであった。
【課題を解決するための手段】
【０００９】
本発明は、上記のような点に鑑みたもので、上記の課題を解決するために、オーバロックミシンやロックミシンのメローミシンでマルチフィラメントを束ねた炭素繊維束の１束ないし複数束に熱可塑性の合成繊維糸の掛合糸をループ状に巻縫い掛合して炭素繊維束糸を成形し、この成形した炭素繊維束糸を経糸および／または緯糸として所定の大きさの織物に作製し、作製した炭素繊維束糸の織物を加熱して熱可塑性の合成繊維糸の掛合糸を溶融させて炭素繊維強化複合材料を成形することを特徴とする織物による炭素繊維強化複合材料の成形方法を提供するにある。
【００１０】
また、マルチフィラメントを束ねた炭素繊維束の１束ないし複数束にロックミシンのメローミシンで２〜５ｍｍピッチで熱可塑性の合成繊維糸の掛合糸をループ状に巻縫い掛合して炭素繊維束糸を成形して、この熱可塑性の合成繊維糸の掛合糸を巻縫いした炭素繊維束糸による織物を複数層重ね合わせることを特徴とする織物による炭素繊維強化複合材料の成形方法を提供するにある。
【発明の効果】
【００１１】
本発明の織物による炭素繊維強化複合材料の成形方法は、オーバロックミシンやロックミシンのメローミシンでマルチフィラメントを束ねた炭素繊維束の１束ないし複数束に熱可塑性の合成繊維糸の掛合糸をループ状に巻縫い掛合して炭素繊維束糸を成形することによって、オーバロックミシンやロックミシンのメローミシンでマルチフィラメントを束ねた炭素繊維束の１束ないし複数束を掛合糸でループ状に巻縫いでき、単繊維がばらけたり、毛羽立って、剥がれたりせずに、ループ状となった掛合糸でほとんど伸縮性のない炭素繊維束に弾力性を付与でき、経糸切れ、緯糸切れを起こすことなく、製織性が向上でき、また撚りがかからずに巻縫いすることができて、非常に細く折れやすい単炭素繊維糸を切断することなく巻縫いできて、炭素繊維糸の強度を低下させることを防止できて織物に製織することができる。
【００１２】
そして、この成形した炭素繊維束糸を経糸および／または緯糸として所定の大きさの織物に作製し、作製した炭素繊維束糸の織物を加熱して熱可塑性の合成繊維糸の掛合糸を溶融させることで、容易に樹脂を溶融させた炭素繊維強化複合材料を成形することができるものであり、成形工程の省力化がはかれる。
また、マルチフィラメントを束ねた炭素繊維束の１束ないし複数束であっても、撚りがかからずに簡単に巻縫いできて製織することができ、非常に細く折れやすい単炭素繊維糸を切断することなく、炭素繊維糸の強度を低下させることを防止できる炭素繊維強化複合材料を成形することができる。特に、被補強物に補強する場合に従来に比して少ない積層で補強でき、補強の手間を低減できて補強することができる。
【００１３】
またさらに、マルチフィラメントを束ねた炭素繊維束の１束ないし複数束にロックミシンのメローミシンで２〜５ｍｍピッチで熱可塑性の合成繊維糸の掛合糸をループ状に巻縫い掛合して炭素繊維束糸を成形し、この熱可塑性の合成繊維糸の掛合糸を巻縫いした炭素繊維束糸による織物を複数層重ね合わせて巻縫いした炭素繊維糸による織物に成形することによって、できるだけ少ない積層として、上記のように樹脂を溶融させた炭素繊維糸の強度を低下させることを防止できる炭素繊維強化複合材料を成形することができる。
【図面の簡単な説明】
【００１４】
【図１】本発明の一実施例の炭素繊維糸の形成説明用図、
【図２】同上の炭素繊維糸のそれぞれの説明用断面図（ａ）、（ｂ）、（ｃ）、
【図３】同上の他の炭素繊維糸のそれぞれの説明用断面図（ａ）、（ｂ）、
【図４】同上の織物の製造説明用図、
【図５】同上の炭素繊維束への掛合糸の巻縫い状態を示す拡大した撮影図、
【図６】同上の織物の積層状態説明用の説明図。
【発明を実施するための形態】
【００１５】
本発明の織物による炭素繊維強化複合材料の成形方法は、オーバロックミシンやロックミシンのメローミシンでマルチフィラメントを束ねた炭素繊維束の１束ないし複数束に熱可塑性の合成繊維糸の掛合糸をループ状に巻縫い掛合して炭素繊維束糸を成形し、この成形した炭素繊維束糸を経糸および／または緯糸として所定の大きさの織物に作製し、作製した炭素繊維束糸の織物を加熱して熱可塑性の合成繊維糸の掛合糸を溶融させて炭素繊維強化複合材料を成形することを特徴としている。
【００１６】
巻縫いした炭素繊維糸１は、図１のようにオーバーロックやロックミシンのメローミシン２を利用してマルチフィラメントを束ねた炭素繊維束３の１束ないし複数束をメローミシン２に供給し、この炭素繊維束３に熱可塑性の合成繊維糸の掛合糸４をループ状に巻縫い掛合して炭素繊維束糸として成形するようにしている。
【００１７】
マルチフィラメントを束ねた炭素繊維束３は、ポリアクリロニトリルのＰＡＮ系の炭素繊維や石油ピッチのピッチ系の炭素繊維などのものが利用でき、ＰＡＮ系は樹脂をマトリックスとする複合材料として優れた特性を有するので、特に軽量構造用に適する。
【００１８】
炭素繊維束３のフィラメントは、直径が約７〜１０μｍといった極細であり、これらのフィラメントを上記したように１０００〜１２０００本を束ねて０．数ｍｍ〜１ｍｍ位の太さとし、その際毛羽の発生を防止するのに少量の樹脂をコーティングするサイジング処理をしている。
【００１９】
炭素繊維束３は、１束毎に掛合糸４をループ状に巻縫い掛合できるが、３〜５束の複数束、好ましくは５〜２０束毎に掛合糸４を巻縫い掛合するのが、炭素繊維糸１を太状ないし嵩高にできるものである。炭素繊維束３は、図２（ａ）のように１束であれば太状のものを、複数束の場合は図２（ｂ）、（ｃ）のように３束の３芯状や７束の７芯状、さらにこれらの外周部に軸対称に二重、三重状に配設してさらに太状ないし嵩高にすることもできる。
【００２０】
また、図３（ａ）、（ｂ）のように炭素繊維束３の空隙に小径の炭素繊維束３を介添して軸対称状に型崩れしないように安定した密な状態にすることもできる。
【００２１】
掛合糸４は、ポリエチレンやポリプロピレン、アラミド等の丈夫な熱可塑性の合成繊維糸が使用でき、０．１〜１０デニールの極細のものが炭素繊維束３に嵩高とならずに掛合できて蜜な炭素繊維糸１の織物に形成できて好ましいが、上記した太状や嵩高状の炭素繊維束３のものでは必要により１００〜２４０デニールの適宜の太さの糸を使用することができる。また、掛合糸４は、メローミシン２に供給して２〜５ｍｍピッチで炭素繊維束３に係合していくのが好ましく、かつ炭素繊維束３がばらけたり、毛羽だったり、剥がれたりするのを有効に防止できて好ましい。
【００２２】
このように巻縫いした炭素繊維糸１は、図４のように織物５とするのに経糸６および／または緯糸７に使用して平織、綾織等の所定の大きさの織物５を製織し、ばらけたり、毛羽だったり、剥がれたりするのを防止でき、かつほとんど伸縮性のない炭素繊維束３に弾力性を付与でき、また経糸切れ、緯糸切れなくて製織性を向上できる。
【００２３】
この炭素繊維束３は、１束以上でよいが、上記したように複数束とすることにより、所定の嵩高のものが迅速かつ容易にできて強度を高められて好ましい。特に、図３（ａ）、（ｂ）のように炭素繊維束３の空隙に小径の炭素繊維束３を介添して密な状態のものが強度を高められて好ましい。なお、本発明の趣旨の範囲で適宜の太さのもので適宜の束数とすることができる。
【００２４】
上記した掛合糸４は、図１のようにロックミシンのメローミシン２に上記した炭素繊維束４を同時に供給して、搖動昇降するミシン針８の針糸９に掛合糸４と同一の糸の上糸１０、下糸１１をかがり縫いして巻縫いすることによって容易かつ迅速に得ることができる。
【００２５】
このようにして平織り等の所定の大きさの織物５を製織していくことができ、掛合糸４に熱可塑性繊維糸を使用することで、作製した炭素繊維糸１の織物５を加熱して容易に樹脂を溶融させた炭素繊維強化複合材料（ＣＦＲＰ）を成形することができ、成形工程の省力化ができる。織物５の成形材料は、用途によってその幅を適宜に決定できて装着して、従来のＦＲＰやＣＦＲＰと同様に航空機や自動車、ボート、スポーツ分野や、土木、建築分野、通信装置、携帯電話、ＴＶ、医療機器、レーザー装置、その他の用途に対応して機械、装置、物品、構造物等の軽量、補強、電磁雑音防止などに有効に対処することができる。
【実施例】
【００２６】
図１以下は、本発明の実施例を示すもので、図１のようにマルチフィラメントを束ねた０．５ｍｍ径位の炭素繊維束３を図２（ａ）や（ｂ）、（ｃ）のように一束ないし複数束をメローミシン２に供給し、メローミシンを駆動してミシン針８を搖動、昇降して１４０デニールのポリプロピレンの熱可塑性の合成繊維糸の針糸９を上糸１０、下糸１１を介して同様の合成繊維糸の掛合糸４に３ｍｍピッチで、図５のようにループ状に掛合して炭素繊維束３に撚りがかからずに、したがって単炭素繊維糸が折れなくて炭素繊維糸１を成形し、図４のように製織機に経糸６および緯糸７として供給し、たとえば平編みとして所定の大きさに製織していくものである。
【００２７】
炭素繊維束３は、１ないし所定の複数を供給することによって、図２（ａ）〜（ｃ）のように１束ないし複数の軸対称状の束となった所要の太さの炭素繊維束糸として、図４のように製織機に経糸６および緯糸７として供給して平織等の織物５を形成し、プリプレグ処理等を行なってできるだけ少なく所要数を積層して手間を少なく補強用に成形できるものである。
【００２８】
図５のように掛合糸４は、炭素繊維束３のばらけ防止と、毛羽立ち、剥がれを防ぐだけでなく、ほとんど伸縮性のない炭素繊維糸にループ状となった掛合糸４で弾力性を付与することができる。その結果、経糸切れ、緯糸切れを起こすことなく非常に製織性が向上できる。また、掛合糸４を巻縫い掛合するとき、炭素繊維束３に撚りがかからずに巻縫いをすることができるため、非常に細く折れやすい単炭素繊維糸を切断することなく巻縫いできて、炭素繊維糸１の強度を低下させることを防止できるものである。
【００２９】
また、掛合糸４に熱可塑性繊維糸を使用することで、作製した炭素繊維糸１の織物５を加熱して容易に樹脂を溶融させた炭素繊維強化複合材料（ＣＦＲＰ）を成形することができるものであり、成形工程の省力化ができる。
【００３０】
なお、このようなＣＦＲＰの織物は、上記したように航空機や自動車、ボート、スポーツ分野や、土木、建築分野、通信装置、携帯電話、ＴＶ、医療機器、レーザー装置、その他の用途に対応してこれらの機械、装置、物品、構造物等に内装、外装して軽量、補強、電磁雑音防止などに有効に対処することができる。特に、炭素繊維糸の織物を上記した器具や装置に装着することによって補強の他に電磁雑音防止をはかることができて好ましい。
【００３１】
またさらに、積層する炭素繊維糸１を製織した織物５の炭素繊維糸１の方向が、図６のように交互に４５度等毎に対応するように積層して、積層する織物５の強度を所要の均一状に成形して利用することができるものである。
【００３２】
なお、図３（ａ）、（ｂ）のように太径の炭素繊維束３の間に小径の炭素繊維束３を介添して型崩れしないように安定した密な状態にすることができるものである。
【産業上の利用可能性】
【００３３】
本発明は、繊維強化分野における炭素繊維強化複合材料による航空機や自動車、ボート、スポーツ分野や、土木、建築分野、通信装置、携帯電話、ＴＶ、医療機器、レーザー装置、その他の用途に対応してこれらの機械、装置、物品、構造物等に内装、外装して軽量、補強、電磁雑音防止などに広く利用することができる。
【符号の説明】
【００３４】
１…炭素繊維糸            ２…メローミシン          ３…炭素繊維束
４…掛合糸                ５…織物
【図１】
2014012920.tif 000003
【図２】
2014012920.tif 000004
【図３】
2014012920.tif 000005
【図４】
2014012920.tif 000006
【図６】
2014012920.tif 000007
【図５】
2014012920.tif 000008